(57)【特許請求の範囲】
【請求項１】
（ａ）上位装置から印刷データを受信し、該印刷データに基づいて印刷を行う印刷装置であって、
（ｂ）前記上位装置からの複写指定によって、前記印刷データに基づいて原本及び控えの印刷を行う複写印刷部と、
（ｃ）前記印刷データの複写指定を検出する複写指定検出部とを有し、
（ｄ）複写が指定された場合、前記複写印刷部は、前記上位装置からの指定に従って原本の印刷を行い、前記上位装置によって前記印刷データに挿入された重要情報判定コマンドに基づき、前記印刷データの重要情報で控えの印刷を行うことを特徴とする印刷装置。
【請求項２】
前記印刷データの重要情報はテキストデータである請求項１に記載の印刷装置。
【発明の詳細な説明】
【技術分野】
【０００１】
本発明は、上位装置からの複写指定によって、印刷データを原本及び控えとして印刷する印刷装置に関するものである。
【背景技術】
【０００２】
従来、チケットを発券するチケットプリンタのような印刷装置においては、上位装置からの複写指定によって複写印刷を行う場合、原本を複数枚、同一の印刷品質で印刷するようになっている（例えば、特許文献１参照。）。
【特許文献１】特開平８−７２３２５号公報
【発明の開示】
【発明が解決しようとする課題】
【０００３】
しかしながら、前記従来の印刷装置においては、複写印刷を行うと、１枚印刷を行う場合と比較して、トナー消費量が増加してしまう。複写印刷においては、例えば、１枚目は顧客用等であるが、２枚目以降は配布用、保管用等であり、必要な情報が記載されていれば十分である場合が多い。ところが、すべての印刷を同一の印刷品質で行うので、トナー消費量が多くなってしまう。
【０００４】
本発明は、前記従来の印刷装置の問題点を解決して、上位装置からの複写指定を検出した場合、原本を上位装置からの印刷指示に従った印刷品質で印刷し、控えをより低い印刷品質で印刷することによって、現像剤の消費量を低減することができる印刷装置を提供することを目的とする。
【課題を解決するための手段】
【０００５】
そのために、本発明の印刷装置においては、上位装置から印刷データを受信し、該印刷データに基づいて印刷を行う印刷装置であって、前記上位装置からの複写指定によって、前記印刷データに基づいて原本及び控えの印刷を行う複写印刷部と、前記印刷データの複写指定を検出する複写指定検出部とを有し、複写が指定された場合、前記複写印刷部は、前記上位装置からの指定に従って原本の印刷を行い、前記上位装置によって前記印刷データに挿入された重要情報判定コマンドに基づき、前記印刷データの重要情報で控えの印刷を行う。
【発明の効果】
【０００６】
本発明によれば、印刷装置は、上位装置からの複写指定を検出した場合、原本を上位装置からの印刷指示に従った印刷品質で印刷し、控えをより低い印刷品質で印刷するようになっている。そのため、現像剤の消費量を低減することができる。
【発明を実施するための最良の形態】
【０００７】
以下、本発明の実施の形態について図面を参照しながら詳細に説明する。
【０００８】
図１は本発明の第１の実施の形態における原本及び控えの印刷結果を示す図、図２は本発明の第１の実施の形態におけるシステムの構成を示すブロック図である。
【０００９】
図２において、４０は本実施の形態における印刷装置であり、３０は該印刷装置４０の上位装置としてのホスト装置であり、通信手段としてのインターフェイスケーブル等によって印刷装置４０に接続されている。該印刷装置４０は、電子写真プロセス等を利用して媒体上に画像を形成する装置であればいかなる装置であってもよく、例えば、ファクシミリ機、複写機等であってもよいし、単色画像、すなわち、モノクロ画像を形成するモノクロプリンタであってもよいが、ここでは、複数色画像、すなわち、カラー画像を形成することができる複数色印刷可能な印刷装置としてのカラープリンタであって、主として、伝票、チケット等の媒体に印刷を行う装置である場合について説明する。この場合、Ｙ（イエロー）、Ｍ（マゼンタ）、Ｃ（シアン）及びＢＫ（ブラック）の各色に対応する４つの画像形成部において像担持体上に各色の現像剤（トナー）から成る現像剤像を形成し、該現像剤像を媒体上に転写することによって、複数色印刷としてのカラー印刷を行うようになっている。
【００１０】
また、前記ホスト装置３０は、例えば、ＣＰＵ、ＭＰＵ等の演算手段、磁気ディスク、半導体メモリ等の記憶手段、キーボード、マウス、タッチパネル等の入力手段、ＣＲＴ、液晶ディスプレイ等の表示手段等を備えるパーソナルコンピュータ、サーバ等のコンピュータであるが、印刷装置４０で印刷するための印刷データを作成することができる装置であればいかなる種類の装置であってもよい。
【００１１】
本実施の形態においては、複数部の複写物を作成する場合、各部の複写物の利用目的や利用価値が異なっていて、原本として保管される一部を除けば、控えの部についてはモノクロ印刷でさほど問題が生じないときが多いことに着目し、原本については保管用として必要十分な印刷品質でのカラー印刷を行い、控え（残りの他の部）についてはモノクロ印刷を行うことによって、現像剤を節約した複写物の印刷を行うようになっている。
【００１２】
図１において、１０は原本としてカラー印刷を行った媒体である原本印刷媒体、２０は控えとしてモノクロ印刷を行った控え印刷媒体である。ホスト装置３０から受信した印刷データ中には、カラーテキスト１１、モノクロテキスト１２及びカラーイメージ１３が含まれる。そのため、原本印刷媒体１０では、カラーテキスト１１がカラーで印刷され、モノクロテキスト１２がモノクロで印刷され、カラーイメージ１３がカラーで印刷される。これに対し、控え印刷媒体２０では、カラーテキスト１１がモノクロで印刷されてモノクロテキスト２１となり、モノクロテキスト１２がモノクロで印刷され、カラーイメージ１３がモノクロで印刷されてモノクロイメージ２３となる。
【００１３】
そして、機能の観点から、前記ホスト装置３０は、印刷データ等を作成するアプリケーション３１、及び、印刷装置４０に印刷を指示するプリンタドライバ３２を有する。該プリンタドライバ３２は、原本としての原本印刷媒体１０及び控えとしての控え印刷媒体２０の印刷設定を行う複写指定部３２ａを備える。
【００１４】
また、前記印刷装置４０は、受信／デコード処理部４１、編集／展開処理部４２、印刷処理部４３、パネル入力装置４４及び複写設定部４５を有する。そして、前記受信／デコード処理部４１は、ホスト装置３０から送信された印刷データを受信し、該印刷データのデコードを行う。なお、前記受信／デコード処理部４１は、印刷データの複写指定を検出する複写指定検出部として、ホスト装置３０から送信された複写コマンドを検出する複写コマンド検出部４１ａを備える。
【００１５】
そして、前記複写設定部４５は、複写コマンド検出部４１ａが検出した複写コマンドに基づいて複写指定情報を設置して格納するとともに、編集／展開処理部４２に複写印刷を指示する。なお、前記複写設定部４５は、複写印刷のために再度印刷データを使用するための印刷データを保存するデータ保存部４５ａを備える。
【００１６】
また、前記パネル入力装置４４は、印刷装置４０が備える図示されない操作パネルからのモード入力を処理する。これにより、オペレータが前記操作パネルを直接操作することによって、複写指定情報を入力することもできる。
【００１７】
さらに、前記編集／展開処理部４２は、受信／デコード処理部４１によってデコードされた印刷データを実際に印刷可能なビットマップイメージに変換する。なお、前記編集／展開処理部４２は、カラー／モノクロ変換部４２ａを備え、複写設定部４５から複写指定があった場合は、前記カラー／モノクロ変換部４２ａがカラーコマンドをモノクロコマンドに変換する。
【００１８】
そして、印刷処理部４３は、ビットマップイメージに変換された印刷データを実際に媒体に印刷する。なお、前記編集／展開処理部４２、印刷処理部４３及び複写設定部４５は、ホスト装置３０からの複写指定によって、印刷データに基づいて原本及び控えの印刷を行う複写印刷部として機能する。
【００１９】
次に、前記構成の印刷装置４０の動作について説明する。まず、複写指定を設定する動作について説明する。
【００２０】
図３は本発明の第１の実施の形態におけるプリンタドライバの複写指定画面の例を示す図、図４は本発明の第１の実施の形態における複写指定コマンドの例を示す図である。
【００２１】
本実施の形態においては、パネル入力装置４４又はホスト装置３０から複写部数を指定した複写指定が設定された場合に、原稿を構成する各ページの１部目を原本として通常のカラー印刷を行い、２部目以降を控えとしてモノクロ印刷を行うようになっている。なお、本実施の形態においては、ホスト装置３０から複写指定を設定した場合について説明する。
【００２２】
まず、ホスト装置３０からの複写指定の設定は、図３に示されるように、プリンタドライバ３２の複写設定画面５０から複写印刷欄５１にチェックを入れることによって行われる。また、部数欄５２、部単位で印刷欄５３の設定も可能である。
【００２３】
このように、複写指定を行うことによって、ホスト装置３０から図４に示されるような複写指定コマンドが印刷装置４０に送信される。
【００２４】
次に、該印刷装置４０の複写印刷の動作について説明する。
【００２５】
図５は本発明の第１の実施の形態における複写指定情報の例を示す図、図６は本発明の第１の実施の形態におけるカラー／モノクロ指定コマンドの例を示す図、図７は本発明の第１の実施の形態における印刷装置の複写印刷の動作を示すフローチャートである。
【００２６】
まず、印刷装置４０の受信／デコード処理部４１は、ホスト装置３０から送信された印刷データを受信すると、該印刷データをデコードする、すなわち、受信／デコード処理を行う。そして、複写コマンド検出部４１ａは、ホスト装置３０から受信した印刷データの中に複写指定コマンドが存在するか否かを判断する。該複写指定コマンドには、図４に示されるように、複写モード、部数指定及び部単位印刷の情報が含まれる。
【００２７】
そして、複写指定コマンドが存在する場合、複写設定部４５は、前記複写指定コマンドに基づいて、図５に示されるように、複写モード、部数指定及び部単位印刷を含む複写指定情報を設定する。該複写指定情報は、複写指定がない場合は「複写モード＝０」であり、複写指定がある場合は「複写モード＝１」である。また、部数指定が１である場合は控え印刷を１部とし、部数指定が２である場合は控え印刷を２部とし、必要部数を部数指定に設定する。さらに、部単位印刷が０である場合は無効とし、部単位印刷が１である場合は有効とし、部単位印刷が行われるようにする。
【００２８】
また、控えの印刷のときに受信した印刷データを再度読み込む必要があるので、データ保存部４５ａに受信した印刷データ、すなわち、受信データが保存される。
【００２９】
続いて、編集／展開処理部４２は、原本印刷としてデータ保存部４５ａに保存された受信データを読み込んで、印刷可能なビットマップイメージに変換する原本印刷の編集／展開処理を行う。また、印刷処理部４３は、ビットマップイメージに変換された印刷データを実際に媒体に印刷する印刷処理を行う。
【００３０】
次に、複写コマンド検出部４１ａは、複写指定コマンドの有無の判断を複写指定情報の複写モードで行う。そして、複写モードが有効である場合、複写設定部４５は、まず、図６に示されるようなカラー／モノクロ指定コマンドでモノクロ指定コマンド（ＥＳＣ  ＆  ｂ  １  Ｍ）を設定して前記受信データに付加し、以後の印刷はモノクロ印刷を行うように編集／展開処理部４２に指示する。
【００３１】
そして、該編集／展開処理部４２は、控え用の印刷を行うために、保存データの読み出しを行い、データ保存部４５ａから受信データを再度読み出す。なお、該受信データの読み出し中に、カラー／モノクロ変換部４２ａは、カラー指定コマンド（ＥＳＣ  ＆  ｂ  ０  Ｍ）を検出したか否かを判断する。そして、カラー指定コマンド（ＥＳＣ  ＆  ｂ  ０  Ｍ）を検出した場合、カラー／モノクロ変換部４２ａは、カラー指定コマンド（ＥＳＣ  ＆  ｂ  ０  Ｍ）をモノクロ指定コマンド（ＥＳＣ  ＆  ｂ  １  Ｍ）に変換する。
【００３２】
続いて、編集／展開処理部４２は、受信データを印刷可能なビットマップイメージに変換する控え印刷の編集／展開処理を行う。これにより、モノクロ印刷用のビットマップイメージが生成される。
【００３３】
例えば、ＣＭＹ形式で入力されたカラーデータにおいて、その画素に対応するＣ値、Ｍ値、Ｙ値のそれぞれに係数を掛けたものを加算することによって、その画素におけるモノクロデータを作成する。
【００３４】
例えば、（０．３×Ｃ値）＋（０．６×Ｍ値）＋（０．１×Ｙ値）＝モノクロデータ
これを全画素について行うことによって、カラーデータからモノクロデータを生成する。そして、印刷処理部４３は、ビットマップイメージに変換された印刷データを実際に媒体に印刷する印刷処理を行う。これにより、モノクロ印刷が行われる。
【００３５】
続いて、部数指定枚数が終了したか否かが判断され、部数指定枚数が終了した場合には、印刷された媒体を排出して処理を終了する。また、部数指定枚数が終了していない場合には、前述の動作を繰り返す。すなわち、複写指定情報の部数指定が１以上である場合は、前述された動作を部数指定分繰り返す。また、複写指定情報の複写モードが無効である場合、すなわち、複写指定がない場合、原本印刷だけを行い、受信データは印刷された媒体が排出された後に消去される。
【００３６】
このように、カラー印刷をモノクロ印刷にすることによって、印刷装置４０の現像剤の消費量を低減することができる。また、モノクロ印刷であるので、一般的に、印刷処理時間が短くなり、さらに、用紙上のトナー層が単層であるため、カラー印刷時と同一の定着温度であれば、搬送速度を早くしてもトナーの定着が可能であるので、搬送速度を上げることによって印刷時間も短くなり、生産性を向上させることができる。
【００３７】
なお、一番多く残っている現像剤を使用した単色印刷、すなわち、モノクロ印刷を行うこともできる。もっとも、イエロー、すなわち、黄色では見えにくいので、黄色の場合は影付き印刷、枠付き印刷や２色混色等を行うことが望ましい。また、モノクロ印刷は用紙搬送方向における最下流の画像形成部によって行う。そのため、途中の画像形成部のトナー汚れが発生しない。
【００３８】
また、ホスト装置３０から複写部数を指定した複写指定が設定された場合に、原稿を構成する各ページの１部目を原本として通常のカラー印刷を行い、２部目以降を控えとしてモノクロ印刷を行うようになっている。この場合、例えば、ホスト装置３０から受信した印刷データが第１ページから第５ページまでのデータから成るとき、最初に、第１ページから第５ページまでの原本を１部ずつカラーで印刷し、続いて、第１ページから第５ページまでの控えを２部目以降の所定部数だけモノクロで印刷することができる。また、最初に、第１ページの原本を１部だけカラーで印刷した後に第１ページの控えを所定部数だけモノクロで印刷し、次に、第２ページの原本を一部だけカラーで印刷した後に第２ページの控えを所定部数だけモノクロで印刷し、さらに、第３ページ以降を同様に印刷することもできる。
【００３９】
次に、フローチャートについて説明する。
ステップＳ１  受信／デコード処理を行う。
ステップＳ２  複写指定があるか否かを判断する。複写指定がある場合はステップＳ３に進み、複写指定がない場合はステップＳ５に進む。
ステップＳ３  複写指定情報を設定する。
ステップＳ４  受信データを保存する。
ステップＳ５  原本印刷の編集／展開処理を行う。
ステップＳ６  印刷処理を行う。
ステップＳ７  複写指定があるか否かを判断する。複写指定がある場合はステップＳ８に進み、複写指定がない場合は処理を終了する。
ステップＳ８  モノクロ指定コマンドを設定する。
ステップＳ９  保存データを読み出す。
ステップＳ１０  カラー指定コマンドを検出したか否かを判断する。カラー指定コマンドを検出した場合はステップＳ１１に進み、カラー指定コマンドを検出していない場合はステップＳ１２に進む。
ステップＳ１１  モノクロ指定コマンドに変換する。
ステップＳ１２  控え印刷の編集／展開処理を行う。
ステップＳ１３  印刷処理を行う。
ステップＳ１４  部数指定枚数が終了したか否かを判断する。部数指定枚数が終了した場合は処理を終了し、部数指定枚数が終了していない場合はステップＳ８に戻る。
【００４０】
このように、本実施の形態においては、複写部数を複数部に設定したときに、原本だけを通常の印刷指示に基づいてカラーで印刷し、控え（残りの部）はモノクロで印刷するようになっているので、現像剤の消費量を低減することができる。
【００４１】
次に、本発明の第２の実施の形態について説明する。なお、第１の実施の形態と同じ構造を有するものについては、同じ符号を付与することによって、その説明を省略する。また、前記第１の実施の形態と同じ動作及び効果についてもその説明を省略する。
【００４２】
図８は本発明の第２の実施の形態における原本及び控えの印刷結果を示す図、図９は本発明の第２の実施の形態におけるシステムの構成を示すブロック図である。
【００４３】
本実施の形態においては、原本として通常印刷を行った後で、残りの部については控えとして最低限必要なテキストだけの複写を行うようになっている。
【００４４】
図８において、６０は原本として通常印刷を行った媒体である原本印刷媒体、７０は控えとして印刷を行った控え印刷媒体である。ホスト装置３０から受信した印刷データ中には、標準テキスト６１、枠フォーム６２、イメージ６３及び修飾テキスト６４が含まれる。そして、原本印刷媒体６０では、標準テキスト６１、枠フォーム６２、イメージ６３及び修飾テキスト６４が印刷され、控え印刷媒体７０では、標準テキスト７１及び７２が印刷される。
【００４５】
本実施の形態において、プリンタドライバ３２の複写指定部３２ａは、原本としての原本印刷媒体６０及び控えとしての控え印刷媒体７０の印刷設定を行う。また、複写設定部４５は、前記第１の実施の形態と異なる処理を行う。さらに、編集／展開処理部４２は、特定のコマンドを受け捨てる処理を行う特定コマンド受け捨て処理部４２ｂを備える。なお、その他の点の構成については、前記第１の実施の形態と同様であるので、その説明を省略する。
【００４６】
次に、本実施の形態における印刷装置４０の動作について説明する。まず、複写指定を設定する動作について説明する。
【００４７】
図１０は本発明の第２の実施の形態におけるプリンタドライバの複写指定画面の例を示す図、図１１は本発明の第２の実施の形態における複写指定コマンドの例を示す図である。
【００４８】
まず、ホスト装置３０からの複写指定の設定は、図１０に示されるように、プリンタドライバ３２の複写設定画面５０から複写印刷欄５１にチェックを入れることによって行われる。また、部数欄５２、部単位で印刷欄５３の設定も可能である。さらに、イメージ６３の印刷を行わないテキスト印刷だけの場合は、テキスト印刷欄５４にチェックを入れることによって設定することができる。
【００４９】
このように、複写指定を行うことによって、ホスト装置３０から図１１に示されるような複写指定コマンドが印刷装置４０に送信される。
【００５０】
次に、該印刷装置４０の複写印刷の動作について説明する。
【００５１】
図１２は本発明の第２の実施の形態における複写指定情報の例を示す図、図１３は本発明の第２の実施の形態におけるカラー／モノクロ指定コマンドの例を示す図、図１４は本発明の第２の実施の形態における印刷装置の複写印刷の動作を示す第１のフローチャート、図１５は本発明の第２の実施の形態における印刷装置の複写印刷の動作を示す第２のフローチャートである。
【００５２】
まず、印刷装置４０の受信／デコード処理部４１は、ホスト装置３０から送信された印刷データを受信すると、該印刷データをデコードする、すなわち、受信／デコード処理を行う。そして、複写コマンド検出部４１ａは、ホスト装置３０から受信した印刷データの中に複写指定コマンドが存在するか否かを判断する。該複写指定コマンドには、図１１に示されるように、複写モード、部数指定及び部単位印刷の情報が含まれる。
【００５３】
そして、複写指定コマンドが存在する場合、複写設定部４５は、前記複写指定コマンドに基づいて、図１２に示されるように、複写モード、テキストのみ印刷、部数指定及び部単位印刷を含む複写指定情報を設定する。該複写指定情報は、複写指定がない場合は「複写モード＝０」であり、複写指定がある場合は「複写モード＝１」である。そして、テキストのみ印刷指定がない場合は「テキストのみ印刷＝０」であり、テキストのみ印刷指定がある場合は「テキストのみ印刷＝１」である。また、部数指定が１である場合は控え印刷を１部とし、部数指定が２である場合は控え印刷を２部とし、必要部数を部数指定に設定する。さらに、部単位印刷が０である場合は無効とし、部単位印刷が１である場合は有効とし、部単位印刷が行われるようにする。
【００５４】
また、控えの印刷のときに受信した印刷データを再度読み込む必要があるので、データ保存部４５ａに受信した印刷データ、すなわち、受信データが保存される。
【００５５】
続いて、編集／展開処理部４２は、原本印刷としてデータ保存部４５ａに保存された受信データを読み込んで、印刷可能なビットマップイメージに変換する原本印刷の編集／展開処理を行う。また、印刷処理部４３は、ビットマップイメージに変換された印刷データを実際に媒体に印刷する印刷処理を行う。
【００５６】
次に、複写コマンド検出部４１ａは、複写指定コマンドの有無の判断を複写指定情報の複写モードで行う。そして、複写モードが有効である場合、すなわち、複写指定がある場合、複写設定部４５は、まず、図６に示されるようなカラー／モノクロ指定コマンドでモノクロ指定コマンド（ＥＳＣ  ＆  ｂ  １  Ｍ）を設定して前記受信データに付加し、以後の印刷はモノクロ印刷を行うように編集／展開処理部４２に指示する。
【００５７】
そして、該編集／展開処理部４２は、控え用の印刷を行うために、保存データの読み出しを行い、データ保存部４５ａから受信データを再度読み出す。なお、該受信データの読み出し中に、カラー／モノクロ変換部４２ａは、カラー指定コマンド（ＥＳＣ  ＆  ｂ  ０  Ｍ）を検出したか否かを判断する。そして、カラー指定コマンド（ＥＳＣ  ＆  ｂ  ０  Ｍ）を検出した場合、カラー／モノクロ変換部４２ａは、カラー指定コマンド（ＥＳＣ  ＆  ｂ  ０  Ｍ）をモノクロ指定コマンド（ＥＳＣ  ＆  ｂ  １  Ｍ）に変換する。
【００５８】
次に、テキストのみ印刷指定がある場合は、広告や飾りや見栄え等に使用される特定のコマンドを受け捨てるようにする。ここで、特定のコマンドとは、画像データ等のイメージ６３を指定するイメージ指定コマンド、定型枠等のフォームを指定するフォーム指定コマンド、アンダーライン、オーバーライン等のラインを指定するライン指定コマンド、ボールド、イタリック、拡大等のテキスト修飾を行う修飾コマンドである。そして、特定コマンド受け捨て処理部４２ｂは、前記特定のコマンドがあるか否かを判断し、特定のコマンドがある場合には該特定のコマンドを受け捨てる。なお、受信データの読み出し中にイメージ転送コマンド（ＥＳＣ  ＊  ｂ  ＃  Ｗ）を受信した場合は、受け捨てることによってイメージデータを無効とすることができる。
【００５９】
続いて、編集／展開処理部４２は、受信データを印刷可能なビットマップイメージに変換する控え印刷の編集／展開処理を行う。この場合、特定のコマンドの受け捨てが行われているので、テキストのみのモノクロ印刷用のビットマップデータが生成される。そして、印刷処理部４３は、ビットマップイメージに変換された印刷データを実際に媒体に印刷する印刷処理を行う。これにより、テキストのみのモノクロ印刷が行われる。
【００６０】
続いて、部数指定枚数が終了したか否かが判断され、部数指定枚数が終了した場合には、印刷された媒体を排出して処理を終了する。また、部数指定枚数が終了していない場合には、前述の動作を繰り返す。すなわち、複写指定情報の部数指定が１以上である場合は、前述された動作を部数指定分繰り返す。また、複写指定情報の複写モードが無効である場合、すなわち、複写指定がない場合、原本印刷だけを行い、受信データは印刷された媒体が排出された後に消去される。
【００６１】
このように、カラー印刷をモノクロ印刷にし、特定のコマンドを受け捨ててテキストのみのモノクロ印刷用のビットマップデータが生成されることによって、現像剤の消費量を低減することができる。また、モノクロ印刷かつテキスト印刷であるので、一般的に、印刷処理時間が短くなり、さらに、用紙上のトナー層が単層であるため、カラー印刷時と同一の定着温度であれば、搬送速度を早くしてもトナーの定着が可能であるので、搬送速度を上げることによって印刷時間も短くなり、生産性を向上させることができる。
【００６２】
次に、フローチャートについて説明する。
ステップＳ２１  受信／デコード処理を行う。
ステップＳ２２  複写指定があるか否かを判断する。複写指定がある場合はステップＳ２３に進み、複写指定がない場合はステップＳ２５に進む。
ステップＳ２３  複写指定情報を設定する。
ステップＳ２４  受信データを保存する。
ステップＳ２５  原本印刷の編集／展開処理を行う。
ステップＳ２６  印刷処理を行う。
ステップＳ２７  複写指定があるか否かを判断する。複写指定がある場合はステップＳ２８に進み、複写指定がない場合は処理を終了する。
ステップＳ２８  モノクロ指定コマンドを設定する。
ステップＳ２９  保存データを読み出す。
ステップＳ３０  カラー指定コマンドを検出したか否かを判断する。カラー指定コマンドを検出した場合はステップＳ３１に進み、カラー指定コマンドを検出していない場合はステップＳ３２に進む。
ステップＳ３１  モノクロ指定コマンドに変換する。
ステップＳ３２  イメージ指定コマンドがあるか否かを判断する。イメージ指定コマンドがある場合はステップＳ３６に進み、イメージ指定コマンドがない場合はステップＳ３３に進む。
ステップＳ３３  フォーム指定コマンドがあるか否かを判断する。フォーム指定コマンドがある場合はステップＳ３６に進み、フォーム指定コマンドがない場合はステップＳ３４に進む。
ステップＳ３４  ライン指定コマンドがあるか否かを判断する。ライン指定コマンドがある場合はステップＳ３６に進み、ライン指定コマンドがない場合はステップＳ３５に進む。
ステップＳ３５  修飾コマンドがあるか否かを判断する。修飾コマンドがある場合はステップＳ３６に進み、修飾コマンドがない場合はステップＳ３７に進む。
ステップＳ３６  特定のコマンドを受け捨てる。
ステップＳ３７  控え印刷の編集／展開処理を行う。
ステップＳ３８  印刷処理を行う。
ステップＳ３９  部数指定枚数が終了したか否かを判断する。部数指定枚数が終了した場合は処理を終了し、部数指定枚数が終了していない場合はステップＳ２８に戻る。
【００６３】
このように、本実施の形態においては、複写部数を複数部に設定したときに、原本だけを通常のイメージ、フォーム、枠等を含む印刷を行い、残りの部を重要情報である個数や価格等のテキストのみ印刷を行うようになっているので、現像剤の消費量を低減することができ、現像剤を節約することができる。
【００６４】
なお、プリンタドライバ３２は重要情報の前後に重要情報判定コマンドを挿入し、印刷装置４０は前記重要情報判定コマンドに挟まれた重要情報だけ印刷を行うようにしてもよい。そして、プリンタドライバ３２によって重要情報であるか否かを判断する方法として、アプリケーション３１上で強調指定された印刷データについて重要情報と判断し、その前後に重要情報判定コマンドを付加するようにする方法がある。
【００６５】
また、前記第１及び第２の実施の形態においては、印刷装置４０がプリンタである場合を例に説明したが、ＭＦＰ（複合型プリンタ：Ｍｕｌｔｉ  Ｆｕｎｃｔｉｏｎ  Ｐｒｉｎｔｅｒ）、ファクシミリ機、複写機等にも適用することができる。
【００６６】
なお、本発明は前記実施の形態に限定されるものではなく、本発明の趣旨に基づいて種々変形させることが可能であり、それらを本発明の範囲から排除するものではない。
【図面の簡単な説明】
【００６７】
【図１】本発明の第１の実施の形態における原本及び控えの印刷結果を示す図である。
【図２】本発明の第１の実施の形態におけるシステムの構成を示すブロック図である。
【図３】本発明の第１の実施の形態におけるプリンタドライバの複写指定画面の例を示す図である。
【図４】本発明の第１の実施の形態における複写指定コマンドの例を示す図である。
【図５】本発明の第１の実施の形態における複写指定情報の例を示す図である。
【図６】本発明の第１の実施の形態におけるカラー／モノクロ指定コマンドの例を示す図である。
【図７】本発明の第１の実施の形態における印刷装置の複写印刷の動作を示すフローチャートである。
【図８】本発明の第２の実施の形態における原本及び控えの印刷結果を示す図である。
【図９】本発明の第２の実施の形態におけるシステムの構成を示すブロック図である。
【図１０】本発明の第２の実施の形態におけるプリンタドライバの複写指定画面の例を示す図である。
【図１１】本発明の第２の実施の形態における複写指定コマンドの例を示す図である。
【図１２】本発明の第２の実施の形態における複写指定情報の例を示す図である。
【図１３】本発明の第２の実施の形態におけるカラー／モノクロ指定コマンドの例を示す図である。
【図１４】本発明の第２の実施の形態における印刷装置の複写印刷の動作を示す第１のフローチャートである。
【図１５】本発明の第２の実施の形態における印刷装置の複写印刷の動作を示す第２のフローチャートである。
【符号の説明】
【００６８】
１０、６０    原本印刷媒体
２０、７０    控え印刷媒体
３０    ホスト装置
４０    印刷装置
４１ａ    複写コマンド検出部
４２    編集／展開処理部
４３    印刷処理部
４５    複写設定部
【図１】
0004827563.tif 000002
【図２】
0004827563.tif 000003
【図３】
0004827563.tif 000004
【図４】
0004827563.tif 000005
【図５】
0004827563.tif 000006
【図６】
0004827563.tif 000007
【図７】
0004827563.tif 000008
【図８】
0004827563.tif 000009
【図９】
0004827563.tif 000010
【図１０】
0004827563.tif 000011
【図１１】
0004827563.tif 000012
【図１２】
0004827563.tif 000013
【図１３】
0004827563.tif 000014
【図１４】
0004827563.tif 000015
【図１５】
0004827563.tif 000016